(57)【要約】      （修正有）【課題】カメラ本体と交換レンズの組み合わせにおいてキャリブレーションを行い、カメラ側が交換レンズの個体を識別しキャリブレーション時に記憶した最適な補正を行うことで、従来よりも高精度な露出制御機能を実現するカメラシステムが提案されている。しかし、このようなカメラシステムにおいて、ユーザーの所有するカメラとレンズの台数が少ない場合はどの組み合わせでキャリブレーション実施済みか否かはユーザーは容易に判断できるが、カメラとレンズの所有台数が増加すると、どの組み合わせでキャリブレーション実施済みなのか分かりにくくなってしまう。どの組み合わせでキャリブレーションが実施済みなのかを、レンズをカメラに装着する前に確実に判断できるようにする。【解決手段】  交換レンズ２００に固体識別情報を記憶したICタグを２１５備え、カメラ１００に装着されるとカメラ側のキャリブレイション実施済み情報（ＩＣタグ１１０）と比較する。【選択図】  図１
2006030859.tif 000002
【特許請求の範囲】
【請求項１】
カメラ本体に着脱可能に構成され、情報を読み書き可能なＩＣタグを備え、ＩＣタグ内に固体識別情報が書き込まれている交換レンズと、上記交換レンズが着脱可能なカメラで、交換レンズ内のＩＣタグに記憶されている固体識別情報を読み取る手段と、読み込んだ固体識別情報と予めカメラに記憶されているキャリブレーション実施済みのレンズ固体識別情報とを照合する手段と、照合結果に応じてその結果を表示または警告音を鳴らすことでユーザーに告知する告知手段とを備えたカメラ本体から成るカメラシステム。
【請求項２】
カメラ本体に着脱可能に構成され、情報を読み書き可能なＩＣタグを備え、ＩＣタグ内に固体識別情報が書き込まれている交換レンズと、上記交換レンズが着脱可能なカメラで、交換レンズ内のＩＣタグに記憶されている固体識別情報を読み取る手段と、読み込んだ固体識別情報と予めカメラに記憶されているキャリブレーション実施済みのレンズ固体識別情報とを照合する手段と、照合結果に応じてその結果を表示したり警告音を鳴らすことでユーザーに告知する告知手段とを備えたことを特徴とするカメラ。
【発明の詳細な説明】
【技術分野】
【０００１】
本発明はカメラ本体、交換レンズ、それらからなるカメラシステムなどの技術に関するものである。
【背景技術】
【０００２】
従来よりカメラ本体と交換レンズからなるカメラシステムが知られている。更に、カメラ本体と交換レンズの組み合わせにおいて高い性能を発揮させるよう調整を行うカメラシステムが提案されている。例えば、特開２００３−２９５０４７（公開番号）にはカメラのオートフォーカスの精度向上とスピードアップを両立させるために以下のような提案がなされている。
【０００３】
「合焦制御が可能な撮影レンズの着脱交換が可能であり、撮影レンズにより形成される被写体像を光電変換する撮像素子を有する撮像装置において、撮影レンズから入射した光束を用いて位相差検出方式により撮影レンズの焦点調節状態を検出する焦点検出手段と、撮像素子による撮影画像のコントラストの検出結果に基づいて撮影レンズの合焦状態を判定する合焦判定手段と、合焦判定手段を用いて得られた撮影レンズの合焦状態を示す情報に基づいて、焦点検出手段を用いて得られた合焦制御情報を補正するための補正情報を求める補正手段とを設けている。すなわち、高速性に優れた位相差検出方式での検出精度の不十分さを補うための補正情報を、高精度での合焦判定が可能な撮影画像のコントラスト検出を用いた合焦状態を示す情報に基づいて求めることにより、位相差検出方式による、ハイブリッド方式等に比べてより高速で、かつ十分に高い精度での合焦制御が可能となる。具体的には、焦点検出手段を用いて得られた撮影レンズの合焦位置情報と合焦判定手段を用いて得られた合焦位置情報との差に基づいて上記補正情報を求めるようにすればよい。また、キャリブレーションモードにおいて求めた補正情報を記憶手段に記憶させておき、実際に撮影を行う際に、記憶手段から読み出した補正情報を用いて合焦制御情報を補正するようにするとよい。この場合、記憶手段に、撮影レンズが個々に有する個体情報に対応づけて補正情報を記憶させておき、この記憶手段に記憶された補正情報のうち、装着された撮影レンズから取得した個体情報に対応する補正情報を用いて合焦制御情報を補正するようにすると、各撮影レンズ固有の光学特性に合った補正情報を用いて焦点検出手段による検出結果を補正することが可能となり、装着される撮影レンズにかかわらず最良の精度レベルを確保することが可能となる。」
上記提案のようにカメラ本体と交換レンズの組み合わせにおいてキャリブレーションを行い、交換レンズの個体を識別し、その各々に対する補正データをカメラ側に記憶し補正を行うことで、従来よりもより高精度で高速なオートフォーカスを実現することが出来る。
【０００４】
上記提案はオートフォーカス以外にも、カメラ本体と交換レンズの組み合わせにおいてキャリブレーションを行い、カメラ側が交換レンズの個体を識別しキャリブレーション時に記憶した最適な補正を行うことで、従来よりも高精度な露出制御機能を実現するカメラシステムが提案されている。
【特許文献１】特開２００３−２９５０４７号公報
【発明の開示】
【発明が解決しようとする課題】
【０００５】
しかし、上記提案のようなカメラシステムとした場合、ユーザーの所有するカメラとレンズの台数が少ない場合はどの組み合わせでキャリブレーション実施済みか否かはユーザーは容易に判断できるが、カメラとレンズの所有台数が増加すると、どの組み合わせでキャリブレーション実施済なのかが分かりにくくなってしまう。
【０００６】
本発明の目的は、カメラと交換レンズのどの組み合わせでキャリブレーションが実施済みなのかを、レンズをカメラへ装着する前に確実に判断できるカメラシステムを提供することである。
【課題を解決するための手段】
【０００７】
上記目的を達成する為に、請求項１に記載の発明は、
カメラ本体に着脱可能に構成され、情報を読み書き可能なＩＣタグを備え、ＩＣタグ内に固体識別情報が書き込まれている交換レンズと、上記交換レンズが着脱可能なカメラで、交換レンズ内のＩＣタグに記憶されている固体識別情報を読み取る手段と、読み込んだ固体識別情報と予めカメラに記憶されているキャリブレーション実施済みのレンズ固体識別情報とを照合する手段と、照合結果に応じてその結果を表示したり警告音を鳴らすことでユーザーに告知する告知手段とを備えたカメラ本体から成るカメラシステムとするものである。
【０００８】
同じく上記の目的を達成する為に、請求項２に記載の発明はカメラ本体に着脱可能に構成され、情報を読み書き可能なＩＣタグを備え、ＩＣタグ内に固体識別情報が書き込まれている交換レンズと、上記交換レンズが着脱可能なカメラで、交換レンズ内のＩＣタグに記憶されている固体識別情報を読み取る手段と、読み込んだ固体識別情報と予めカメラに記憶されているキャリブレーション実施済みのレンズ固体識別情報とを照合する手段と、照合結果に応じてその結果を表示したり警告音を鳴らすことでユーザーに告知する告知手段とを備えたことを特徴とするカメラとするものである。
【０００９】
以上のように交換レンズにＩＣタグを、カメラ本体にＩＣタグリーダーを備える構成とすることで、カメラと交換レンズのどの組み合わせでキャリブレーションが実施済みなのかを、レンズをカメラへ装着する前に確実に判断できるカメラシステムを提供することができる。
【発明の効果】
【００１０】
以上説明したように本発明によるカメラシステムでは、キャリブレーションを行った組み合わせであるかどうかが、交換レンズを装着する前に確認できるので、交換レンズを着脱する煩わしさがなく、早く確実に最適な組み合わせのカメラ本体と交換レンズを見つけることができる。
【発明を実施するための最良の形態】
【００１１】
以下、本発明を図示の実施の形態に基づいて詳細に説明する。
【００１２】
先ず、本発明に記載のカメラシステムの実施例について説明する。
【００１３】
図１は本実施例のブロック図である。
【００１４】
１００は本実施例におけるカメラ本体で、２００は本実施例における交換レンズである。カメラ本体１００内には、電気回路部１０１があり、電気回路部１０１は交換レンズを通ってきた光の量を測定するための測光部１０２、フィルム面上から、被写体までの距離を測定するための測距部１０３、撮像素子（ＣＭＯＳセンサ等）に適当な時間露光するためのシャッター１０４、撮像素子１０５、これらのカメラ内の制御を行うカメラ本体内ＣＰＵ１０６、レンズとのシリアル通信を行うための通信手段１０７、カメラの各種情報を表示する表示手段１０８、警告音等を発するための発音手段１０９、交換レンズ内のＩＣタグの情報を読み取る為のＩＣタグリーダー１１０を有する。ＩＣタグリーダー１１０はマイクロ波帯の電波を送信し、以下に説明する交換レンズ２００内のＩＣタグ２１０と通信を行う。さらに、カメラ本体１００内には本実施例のカメラシステムを動作させる電源１０９も含まれる。
【００１５】
また、交換レンズ２００内には、２０１は交換レンズ２００中のフォーカシングレンズ、２０２はズーミングレンズ、２０３は絞り、２０４はズーミングレンズ２０２の位置を検出するためのズーム位置検出用ブラシ、２０５はフォーカシングレンズ２０１の位置を検出するためのフォーカス位置検出用ブラシ、２０６はオートフォーカスとマニュアルフォーカスを切り替えるＡ／Ｍスイッチ、２０７は交換レンズ２００内の電気回路部で、電気回路部２０７内には、交換レンズ内の制御を行うレンズ内ＣＰＵ２０８、カメラとの間でシリアル通信を行うための通信手段２０９、固体識別情報が記憶されたＩＣタグ２１０を有する。ＩＣタグ２１０はカメラ本体１００内のＩＣタグリーダーから送信される電波を送受信するアンテナと、このアンテナにより受信した電波を電源として動作するように構成されている。更に、交換レンズ２００内にはフォーカシングレンズの駆動制御を行うためのレンズ駆動制御部２１１、フォーカシングレンズを駆動するためのレンズ駆動用モータ２１２、絞りの駆動制御を行うための絞り制御部２１３、絞りを駆動するための絞り駆動用モータ２１４、フォーカシングレンズ２０１の移動に伴ってパルス信号を出力するパルス発生手段２１５が含まれる。
【００１６】
続いて図２から図３のフローチャートを用いて本実施例の処理について説明する。
【００１７】
先ず、キャリブレーション時の処理を図２のフローチャートを用いて説明する。
【００１８】
「ｓｔｅｐ１０１」
本実施例におけるキャリブレーション時の処理をスタートする。
【００１９】
「ｓｔｅｐ１０２」
カメラ本体１はＩＣタグリーダー１１０を起動し交換レンズ２００内のＩＣタグ２１０と通信を行い、ＩＣタグ２１０内の記憶されている固体識別情報を読み取る。
【００２０】
「ｓｔｅｐ１０３」
補正量を検出するための動作を行う。例えば本実施例のカメラシステムのオートフォーカスに関する補正値を算出するための動作の場合、カメラ本体１００の持つ測距部１０３を用いてオートフォーカスを行い合焦させ、その後実際の撮像面でのピント位置を検出する。このとき、撮像面でのピントが合焦した位置とオートフォーカス検出系で合焦と判断した位置とのズレを計測する。このズレが補正すべき量となる。
【００２１】
「ｓｔｅｐ１０４」
「ｓｔｅｐ１０３」で計測された補正量を、補正値に変換する演算を行う。例えば、「ｓｔｅｐ１０３」で計測された値が「μｍ」という単位で、補正値としては“１”が「５μｍ」を表す値で表現される場合には、「ｓｔｅｐ１０３」で計測された値を“５”で除算した値を補正値とする。
【００２２】
「ｓｔｅｐ１０５」
「ｓｔｅｐ１０４」で算出された補正値と、「ｓｔｅｐ１０２」で取得した交換レンズ２００の固体識別情報とを関連付けて共に記憶領域に書き込み記憶する。
【００２３】
尚、以上のキャリブレーション動作はカメラ本体１００に調整モードとして組み込まれていても良いし、サービス部門等により工具を使用して行うようにしても良い。
【００２４】
続いて、カメラが交換レンズがキャリブレーション済か否かを判定する際の処理について図３のフローチャートを用いて説明する。
【００２５】
「ｓｔｅｐ２０１」
本実施例におけるキャリブレーション済判定の処理を開始する。
【００２６】
「ｓｔｅｐ２０２」
不図示のスイッチ（例えばレリーズボタン）の操作により判別モードを開始する。
【００２７】
「ｓｔｅｐ２０３」
カメラ本体１はＩＣタグリーダー１１０を起動する。ＩＣタグリーダー１１０はマイクロ波帯の電波を交換レンズ内のＩＣタグ２１０へ送信する。交換レンズ２００内のＩＣタグ２１０は電波を送受信するアンテナを備え、このアンテナにより受信した電波から電磁誘導により電源を作り出し動作するよう構成されており、予め記憶している固体識別情報を出力する。以上のような構成となっているため、カメラ本体１００に交換レンズ２００が装着されていない状態であっても固体識別情報を通信することが可能となっている。
【００２８】
「ｓｔｅｐ２０４」
「ｓｔｅｐ２０３」で読み取った固体識別情報とカメラ内に記憶された複数の固体識別情報内に一致するものがあるかどうか判定を行う。一致するものが見つかった場合は「ｓｔｅｐ２０５」へ、見つからない場合は「ｓｔｅｐ２０６」へ進む。
【００２９】
「ｓｔｅｐ２０５」
「ｓｔｅｐ２０４」で交換レンズの固体識別情報がカメラ内に記憶された固体識別情報と一致したので、既にこの交換レンズ２００とカメラ本体１００との組み合わせにおいてキャリブレーションが実施済であると判断され、カメラ本体１００内の表示手段１０８によってキャリブレーション実施済であることを示す表示を行う。また、発音手段１０９によりキャリブレーション実施済であることを示す音が発せられる。これらの表示や発音はカメラ本体１００の設定によって、表示／非表示、発音／無音を切り換え可能に構成してもよい。
【００３０】
「ｓｔｅｐ２０６」
「ｓｔｅｐ２０４」で交換レンズの固体識別情報がカメラ内に記憶された固体識別情報中に見つからなかったので、この交換レンズ２００とカメラ本体１００との組み合わせにおいてはキャリブレーションが未実施であると判断され、カメラ本体１００内の表示手段１０８によってキャリブレーション未実施であることを示す表示を行う。また、発音手段１０９によりキャリブレーション未実施であることを示す音が発せられる。これらの表示や発音はカメラ本体１００の設定によって、表示／非表示、発音／無音を切り換え可能に構成してもよい。
【００３１】
「ｓｔｅｐ２０７」
本発明の実施例におけるキャリブレーション済判定の処理を終了する。
【図面の簡単な説明】
【００３２】
【図１】本発明の実施の形態であるカメラシステムのブロック図。
【図２】交換レンズの処理を説明するフローチャート。
【図３】カメラ本体の処理を説明するフローチャート。
【符号の説明】
【００３３】
１００  カメラ本体
１０１  カメラ本体内電気回路部
１０２  測光部
１０３  測距部
１０４  シャッター
１０５  給送チャージ系
１０６  カメラ本体内ＣＰＵ
１０７  通信手段
１０８  表示手段
１０９  発音手段
１１０  ＩＣタグリーダ
１１１  電源
２００  交換レンズ
２０１  フォーカシングレンズ            
２０２  ズーミングレンズ
２０３  絞り
２０４  ズーム位置検出用ブラシ
２０５  フォーカス位置検出用ブラシ
２０６  Ａ／Ｍスイッチ
２０７  交換レンズ内電気回路部
２０８  レンズ内ＣＰＵ
２０９  通信手段
２１０  ＩＣタグ
２１１  レンズ駆動制御部
２１２  レンズ駆動用モータ
２１３  絞り制御部
２１４  絞り駆動用モータ
２１５  パルス発生手段
【図１】
2006030859.tif 000003
【図２】
2006030859.tif 000004
【図３】
2006030859.tif 000005